(57)【要約】【課題】睡眠時における空調の向上を図ると共に、人の不在時における寝具の乾燥除菌をも可能にし得る機能ベッドを提供する。【解決手段】機能ベッド（１Ａ）は、マットレス（３）の一端側に送風機（１０Ａ）が設けられている。送風機（１０Ａ）には、マットレス（３）の上側に敷かれる寝具（５）の上方、及び該寝具（５）とマットレス（３）との間の両方に送風される場合、又はマットレス（３）の上側に敷かれる寝具（５）の上方若しくは該寝具（５）とマットレス（３）との間のいずれかに送風される場合に、送風方向を切り換える仕切り板（１３）が設けられている。【選択図】図１
2016112176.tif 000002
【特許請求の範囲】
【請求項１】
マットレスを備えた機能ベッドにおいて、
上記マットレスの一端側には送風機が設けられていると共に、
上記送風機には、マットレスの上側に敷かれる寝具の上方、及び該寝具とマットレスとの間の両方に送風される場合、又はマットレスの上側に敷かれる寝具の上方若しくは該寝具とマットレスとの間のいずれかに送風される場合に、送風方向を切り換える送風方向切換部が設けられていることを特徴とする機能ベッド。
【請求項２】
前記送風機には、送風時にイオンを発生するイオン発生部が設けられていることを特徴とする請求項１記載の機能ベッド。
【請求項３】
前記マットレスの上側に敷かれる寝具と該マットレスとの間には風を通す通風体が設けられていると共に、
送風方向切換部は、上記通風体の上に敷かれている寝具に送風すべく、該通風体の内部に送風する場合と上記寝具の上方に送風する場合とに送風方向を切り換え可能になっていることを特徴とする請求項１又は２記載の機能ベッド。
【請求項４】
前記送風機が一端側に設けられたマットレスの他端側には、吸引機が設けられていることを特徴とする請求項１、２又は３記載の機能ベッド。
【請求項５】
前記送風機には、送風される空気を除湿する除湿部が設けられていることを特徴とする請求項１〜４のいずれか１項に記載の機能ベッド。
【発明の詳細な説明】
【技術分野】
【０００１】
本発明は、マットレスを備えた機能ベッドに関するものである。詳細には、ベッドサイドに設けられる空気清浄装置に関する。
【背景技術】
【０００２】
従来のベッドサイドに設けられる空気清浄装置として、例えば、特許文献１に開示された開放型空気清浄装置が知られている。
【０００３】
特許文献１に開示された開放型空気清浄装置は、ベッドサイドでの面会者や看護師等の近傍人の動きを人検出部により検出し、近傍人の位置に応じて、頭部側送風機の送風部の送風風量と、足部側送風機の吸気部の吸気風量のバランスを最適に制御する。これにより、近傍人の動作により発塵したハウスダストが患者の在床するベッドに侵入するのを効果的に防止し、ベッド上の患者に対する清浄効果を一層向上できるようになっている。
【先行技術文献】
【特許文献】
【０００４】
【特許文献１】特開２０１１−２２４０２９号公報（２０１１年１１月１０日公開）
【発明の概要】
【発明が解決しようとする課題】
【０００５】
しかしながら、上記従来の特許文献１に開示された開放型空気清浄装置では、以下の問題点を有している。
【０００６】
すなわち、特許文献１に開示された開放型空気清浄装置では、頭部側送風機の送風風量と足部側送風機の吸気部の吸気風量とのバランスを最適に制御するだけであり、送風方向は一定である。詳細には、送風方向は、頭部側送風機の送風部からマットレスの上方を通って足部側送風機の吸気部に至り、足部側送風機からマットレスの下方を通って頭部側送風機に至る方向のみである。
【０００７】
この結果、特許文献１に開示された開放型空気清浄装置は、ベッド上の患者に対する清浄効果を向上するのみであり、人の不在時における寝具の乾燥除菌については全く考慮されていないという問題点を有している。
【０００８】
本発明は、上記従来の問題点に鑑みなされたものであって、その目的は、睡眠時における空調の向上を図ると共に、人の不在時における寝具の乾燥除菌をも可能にし得る機能ベッドを提供することにある。
【課題を解決するための手段】
【０００９】
本発明の一態様に係る機能ベッドは、上記の課題を解決するために、マットレスを備えた機能ベッドにおいて、上記マットレスの一端側には送風機が設けられていると共に、上記送風機には、マットレスの上側に敷かれる寝具の上方、及び該寝具とマットレスとの間の両方に送風される場合、又はマットレスの上側に敷かれる寝具の上方若しくは該寝具とマットレスとの間のいずれかに送風される場合に、送風方向を切り換える送風方向切換部が設けられていることを特徴としている。
【発明の効果】
【００１０】
本発明の一態様によれば、睡眠時における空調の向上を図ると共に、人の不在時における寝具の乾燥除菌をも可能にし得る機能ベッドを提供するという効果を奏する。
【図面の簡単な説明】
【００１１】
【図１】（ａ）は本発明の実施形態１における機能ベッドの構成を示す斜視図であり、（ｂ）は、上記機能ベッドの構成を示す断面図である。
【図２】（ａ）は上記機能ベッドの送風機における筐体の第２開口を開口したときの送風方向を示す断面図であり、（ｂ）は筐体の第１開口を開口したときの送風方向を示す断面図である。
【図３】本発明の実施形態２における機能ベッドの構成を示す断面図である。
【図４】（ａ）は本発明の実施形態３における機能ベッドの構成を示すものであって、送風機オン及び吸引機オフのときの送風方向を示す断面図であり、（ｂ）は上記機能ベッドにおいて、送風機オン及び吸引機オンのときの睡眠中の弱運転時の送風方向を示す断面図であり、（ｃ）は上記機能ベッドにおいて、送風機オン及び吸引機オンのときの最大風量での埃捕集中の送風方向を示す断面図である。
【図５】本発明の実施形態４における機能ベッドの構成を示す断面図である。
【発明を実施するための形態】
【００１２】
〔実施の形態１〕
本発明の一実施形態について図１及び図２に基づいて説明すれば、以下のとおりである。
【００１３】
本実施の形態の機能ベッド１Ａの構成について、図１の（ａ）（ｂ）に基づいて説明する。図１の（ａ）は、本実施の形態の機能ベッド１Ａの構成を示す斜視図である。図１の（ｂ）は、上記機能ベッド１Ａの構成を示す断面図である。
【００１４】
本実施の形態の機能ベッド１Ａは、図１の（ａ）に示すように、脚付きフレーム２の上にマットレス３を備えていると共に、該マットレス３の一端側としての枕元近傍には送風機１０Ａが設けられている。また、マットレス３の上には乾燥マット４が設けられている。尚、上記脚付きフレーム２は、本発明においては、必ずしも必要ではない。
【００１５】
上記送風機１０Ａは、図１の（ｂ）に示すように、上部に設けられた第１開口１１ａと下部に設けられた第２開口１１ｂとを有する筐体１１の内部に、ファン１２と送風方向切換部としての仕切り板１３と、イオン発生部１４とを備えている。
【００１６】
上記ファン１２は、例えばシロッコファンからなっており、図示しないファンモーターにて駆動するようになっている。このシロッコファンは、ベッド全域に均等に風を送り出せるというメリットがある。尚、筐体１１には、ファン１２のための図示しない操作パネルが設けられており、この操作パネルにより、ファンモーターをオンオフ駆動したり、ファンモーターの回転速度を変化させてファン１２の風量を調整したりできるものとなっている。
【００１７】
上記仕切り板１３は、例えば、第１開口１１ａと第２開口１１ｂとの間の壁面に支持された回動軸１３ａを有し、この回動軸１３ａの回りに回動自在となっている。そして、仕切り板１３は、図１の（ｂ）において時計回りに回動することにより、鉛直に垂れ下がって第２開口１１ｂを塞ぐことができる。これによって、ファン１２の駆動時には、第１開口１１ａを通して送風機１０Ａから送風できるものとなる。
【００１８】
一方、仕切り板１３は、図１の（ｂ）において反時計回りに回動することにより、筐体１１の天井において図示しない係止部にて係止固定される。これにより、ファン１２が駆動した場合に、第１開口１１ａが塞がれた状態となり、かつ第２開口１１ｂが開いた状態となっているので、第２開口１１ｂを通して送風機１０Ａから送風できるものとなる。
【００１９】
上記第１開口１１ａは、筐体１１において第２開口１１ｂに比べて上側に設けられており、これによって、ファン１２の回転時に該第１開口１１ａを通してマットレス３の上側に敷かれるシーツ又は掛け布団等の寝具５の上方に送風できる。
【００２０】
また、第２開口１１ｂは、筐体１１において第１開口１１ａに比べて下側に設けられている。そして、この第２開口１１ｂには、乾燥マット４の袋開口４ａが取り付けられている。これによって、ファン１２の回転時に該第２開口１１ｂを通して寝具５とマットレス３との間、具体的には乾燥マット４の内部に送風できるようになっている。
【００２１】
このように、本実施の形態では、仕切り板１３により用途に合わせた風の吹き出しが可能となっている。
【００２２】
次に、イオン発生部１４は、例えば、筐体１１の内部においてファン１２の上における筐体１１の天井に設けられている。これによって、イオン発生部１４の図示しない電源をオンした場合には、仕切り板１３にて第１開口１１ａを塞いだときには、イオン発生部１４にて発生されたイオンが第２開口１１ｂから排出される一方、仕切り板１３にて第２開口１１ｂを塞いだときには、イオン発生部１４にて発生されたイオンが第１開口１１ａから排出されるようになっている。
【００２３】
この結果、第１開口１１ａと第２開口１１ｂとのいずれが開口していても、イオン発生部１４にて発生されたイオンを第１開口１１ａ又は第２開口１１ｂから排出できるようになっている。
【００２４】
また、イオン発生部１４は、図示しないマイナスイオン発生素子及びプラスイオン発生素子から構成されている。
【００２５】
マイナスイオン発生素子及びプラスイオン発生素子は、空気中の水蒸気をプラズマ放電にてイオン化することにより、プラスイオンとしてのＨ＋（Ｈ２Ｏ）ｎ（ｎは任意の自然数）と、マイナスイオンとしてのＯ２−（Ｈ２Ｏ）ｍ（ｍは任意の自然数）とを発生する。そして、これらが化学反応することにより、活性種である過酸化水素（Ｈ２Ｏ２）及び／又は水酸基ラジカル（・ＯＨ）が生成され、空気中の浮遊細菌や浮遊ウイルス等が除去されるようになっている。
【００２６】
次に、本実施の形態の機能ベッド１Ａでは、マットレス３の上に通風体としての乾燥マット４が常備されている。ただし、この乾燥マット４は、取り外し可能である。
【００２７】
この乾燥マット４は、袋状の布、不織布又は樹脂材料からなっており、表裏面に微細孔が存在している。これによって、乾燥マット４の袋開口４ａから風が入ると、その風は袋状の底で閉塞される。その結果、乾燥マット４の上面又は下面から微細孔を通して風が通り向け、乾燥マット４の下側のマットレス３や乾燥マット４の上側の寝具５に風を通過させるようになっている。この結果、マットレス３と例えばシーツとの間に挿入した乾燥マット４に風を送ることによって、掛け布団をかけた状態でもマットレス３、シーツ及び掛け布団を同時に乾燥除菌することができる。
【００２８】
また、乾燥マット４は、マットレス３とシーツとの間に設けられるので、就寝時にはマットレスカバーとして使用することができる。また、就寝時以外には送風により、マットレス３、シーツ、掛け布団の除菌及び乾燥が可能となる。
【００２９】
上記構成を備えた機能ベッド１Ａの使用方法について、図２の（ａ）（ｂ）に基づいて説明する。図２の（ａ）は、機能ベッド１Ａの送風機１０Ａにおける筐体１１の第２開口１１ｂを開口したときの送風方向を示す断面図である。図２の（ｂ）は、筐体１１の第１開口１１ａを開口したときの送風方向を示す断面図である。
【００３０】
まず、例えば、就寝時以外のときに、寝具５及びマットレス３を乾燥したいときには、寝具５とマットレス３との間に送風すべく、図２の（ａ）に示すように、仕切り板１３を回動して筐体１１の天井の図示しない係止部に係止固定させる。これにより、第１開口１１ａが閉じた状態となる一方、第２開口１１ｂが開口された状態となる。
【００３１】
この結果、ファン１２の送風が、第２開口１１ｂを通り、乾燥マット４の内部に入る。これにより、乾燥マット４の上に敷かれている寝具５及びマットレス３に送風され、寝具５及びマットレス３が乾燥される。
【００３２】
このとき、イオン発生部１４をオンすれば、イオンが放出され、就寝者に対する空調としてウイルス除去や睡眠時の肌や髪の保湿を行うことができる。
【００３３】
一方、人の不在時には、送風方向切換部にて送風機の送風方向が寝具とマットレスとの間になるように切り換えることによって、イオン発生部にてイオンを放出して、マットレスの上側に敷かれる寝具の乾燥除菌を行うことができる。
【００３４】
一方、就寝時には、寝具５の上方に送風すべく、図２の（ｂ）に示すように、仕切り板１３を重力に任せて回動させる。これにより、仕切り板１３が鉛直方向に垂れ下がり、第２開口１１ｂを塞ぐ一方、第１開口１１ａが開口された状態となる。
【００３５】
この結果、ファン１２の送風が、第１開口１１ａを通り、寝具５の上方において寝具５に沿って送風される。これにより、睡眠時における空調の向上を図ることができる。
【００３６】
このとき、イオン発生部１４をオンすれば、イオンが放出され、マットレス３の上側に敷かれる寝具５の乾燥除菌を行うことができる。
【００３７】
このように、本実施の形態の機能ベッド１Ａは、マットレス３を備えた機能ベッドにおいて、マットレス３の一端側には送風機１０Ａが設けられている。また、送風機１０Ａには、マットレス３の上側に敷かれる寝具５の上方と該寝具５とマットレス３との間とのいずれかに送風される場合に、送風方向を切り換える送風方向切換部としての仕切り板１３が設けられている。
【００３８】
上記の構成によれば、睡眠時には、仕切り板１３にて送風機１０Ａの送風方向がマットレス３の上側に敷かれる寝具５の上方となるように切り換えることによって、睡眠時における空調の向上を図ることができる。
【００３９】
一方、人の不在時には、仕切り板１３にて送風機１０Ａの送風方向が寝具５とマットレス３との間になるように切り換えることによって、マットレス３の上側に敷かれる寝具５の乾燥除菌を行うことができる。
【００４０】
したがって、睡眠時における空調の向上を図ると共に、人の不在時における寝具５の乾燥除菌をも可能にし得る機能ベッド１Ａを提供することができる。
【００４１】
また、本実施の形態における機能ベッド１Ａは、送風機１０Ａには、送風時にイオンを発生するイオン発生部１４が設けられている。これにより、仕切り板１３にて送風機１０Ａの送風方向がマットレス３の上側に敷かれる寝具５の上方となるように切り換えることができる。その結果、イオン発生部１４にてイオンを放出して、就寝者に対する空調としてウイルス除去や睡眠時の肌や髪の保湿を行うことができる。
【００４２】
一方、人の不在時には、仕切り板１３にて送風機１０Ａの送風方向が寝具５とマットレス３との間になるように切り換えることによって、イオン発生部１４にてイオンを放出して、マットレス３の上側に敷かれる寝具５の乾燥除菌を行うことができる。
【００４３】
また、本実施の形態における機能ベッド１Ａは、マットレス３の上側に敷かれる寝具５と該マットレス３との間には通風体としての乾燥マット４が設けられている。そして、仕切り板１３は、乾燥マット４の上に敷かれている寝具５に送風すべく、該乾燥マット４の内部に送風する場合と寝具５の上方に送風する場合とに送風方向を切り換え可能になっている。
【００４４】
従来、寝具５の衛生を保つために該寝具５を洗濯するにはサイズが大きく嵩張るので手間であると共に、天気を気にして干す必要があった。また、掃除機を持ち出して清掃することもできるが、手間がかかる。
【００４５】
これに対して、本実施の形態では、マットレス３の上側に敷かれる寝具５と該マットレス３との間には通風体としての乾燥マット４が常備されている。このため、人の不在時において、仕切り板１３にて送風機１０Ａの送風方向が寝具５とマットレス３との間になるように切り換えたときに、マットレス３の上側に敷かれる寝具５と該マットレス３との間に設けられた乾燥マット４の内部に送風する。
【００４６】
これにより、シーツ、掛け布団等の寝具５やマットレス３に容易に送風できるので、天気を気にしたり手間をかけたりせずに、乾燥及び除菌ができる。このため、該シーツ、掛け布団等の寝具５やマットレス３を容易に衛生的に保つことができる。また、就寝時には、乾燥マット４をマットレスカバーとして使用することができる。
【００４７】
さらに、イオン発生部１４にてイオンを放出する場合には、容易に寝具５及びマットレス３の乾燥除菌を行うことができる。この場合、従来のベッドサイドのイオン発生器や美顔器は、睡眠時の利用を想定しているので、顔周りの保湿効果のみを追求している。このため、騒音値軽減のため、風量が小さく、スポット的な除菌しかできないものであった。
【００４８】
これに対して、本実施の形態では、人の不在時に寝具５とマットレス３との間に送風するので、騒音値軽減を考慮する必要が無く、風量を大きくすることができる。したがって、イオン発生部１４にてイオンを大量に放出することにより、除菌効果を高めることができる。
【００４９】
〔実施の形態２〕
本発明の他の実施の形態について図３に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００５０】
本実施の形態の機能ベッド１Ｂは、前記実施の形態１の機能ベッド１Ａの構成に加えて、図３に示すように、送風機１０Ｂには、ヒータ２１が設けられている点が異なっている。
【００５１】
本実施の形態の機能ベッド１Ｂの構成について、図３に基づいて説明する。図３は本実施の形態の機能ベッド１Ｂの構成を示す断面図である。
【００５２】
本実施の形態の機能ベッド１Ｂは、図３に示すように、送風機１０Ｂには、ヒータ２１が設けられている。
【００５３】
すなわち、前記実施の形態１の機能ベッド１Ａにおける送風機１０Ａにて寝具５とマットレス３との間に送風しても、単に送風するだけでは、ダニ及びカビの殺菌が困難である。これに対して、本実施の形態の機能ベッド１Ｂでは、送風機１０Ｂには、送風時に温風を送るためのヒータ２１が設けられているので、高温の送風を行うことにより、ダニ及びカビの殺菌を容易に行うことできる。
【００５４】
〔実施の形態３〕
本発明の他の実施の形態について図４に基づいて説明すれば、以下のとおりである。尚、本実施の形態において説明すること以外の構成は、前記実施の形態１及び実施の形態２と同じである。また、説明の便宜上、前記の実施の形態１及び実施の形態２の図面に示した部材と同一の機能を有する部材については、同一の符号を付し、その説明を省略する。
【００５５】
本実施の形態の機能ベッド１Ｃは、前記実施の形態２の機能ベッド１Ｂの構成に加えて、図４の（ａ）（ｂ）（ｃ）に示すように、マットレス３の枕元側に設けられた送風機１０Ｃには空気清浄フィルタ２２が設けられていると共に、該送風機１０Ｃの対向側である足元側には吸引機３０が設けられている点が異なっている。
【００５６】
本実施の形態の機能ベッド１Ｃの構成について、図４の（ａ）に基づいて説明する。図４の（ａ）は本実施の形態の機能ベッド１Ｃの構成を示すものであって、送風機１０Ｃオン及び吸引機３０オフのときの送風方向を示す断面図である。
【００５７】
本実施の形態の機能ベッド１Ｃには、図４の（ａ）に示すように、送風機１０Ｃに空気を洗浄する清浄部としての空気清浄フィルタ２２が設けられている。
【００５８】
空気清浄フィルタ２２は、例えばいわゆるＨＥＰＡ（High Efficiency Particulate Air）フィルタである。例えば、ポリエステル／ビニロン系不織布からなる骨材に電石加工したメルトブロー不織布を合わせて濾材とし、これを折り畳んだ上、その上下面にハイドロキシアパタイト加工した不織布からなる抗菌シートを重ねて熱圧着し、ホットメルト付き不織布からなる枠を溶着したものとすることが可能である。空気清浄フィルタ２２は、微細な塵埃を捕集する役割を果たす。
【００５９】
また、本実施の形態の機能ベッド１Ｃには、図４の（ａ）に示すように、送風機１０Ｃが一端側に設けられたマットレス３の他端側に、吸引機３０が設けられている。
【００６０】
すなわち、前述した実施の形態１における機能ベッド１Ａ及び実施の形態２の機能ベッド１Ｂにより、睡眠時には、送風方向切換部としての仕切り板１３にて送風機１０Ａ・１０Ｂの送風方向がマットレス３の上側に敷かれ寝具５の上方となるように切り換えることによって、睡眠時における空調の向上を図ることができる。
【００６１】
しかしながら、例えば、送風機１０Ａがマットレス３の一端側である枕近傍に設けられた場合には、足元まで風が行き渡らない場合がある。
【００６２】
そこで、本実施の形態では、マットレス３の他端側には、吸引機３０が設けられている。
【００６３】
この吸引機３０の筐体３１の内部には、送風機１０Ｃのファン１２と同様の例えばシロッコファンからなるファン３２が設けられている。
【００６４】
また、吸引機３０の筐体３１の壁面には、集塵フィルタ３３が設けられていると共に、該集塵フィルタ３３の近傍には、ホコリセンサ３４が設けられている。
【００６５】
集塵フィルタ３３は、上記送風機１０Ｃの空気清浄フィルタ２２と同質の材料にてなっている。ただし、必ずしもこれに限らず、別の材質の材料を用いることが可能である。
【００６６】
ホコリセンサ３４は、埃量を検知し、図示しない制御部で埃量を判定して送風側及び吸引側のファン１２・３２の回転数（風量）を調整することができるようになっている。
【００６７】
上記構成の機能ベッド１Ｃの使用方法について、図４の（ａ）（ｂ）（ｃ）に基づいて説明する。図４の（ｂ）は上記機能ベッド１Ｃの構成を示すものであって、送風機１０Ｃオン及び吸引機３０オンのときの睡眠中の弱運転時の送風方向を示す断面図である。図４の（ｃ）は上記機能ベッド１Ｃの構成を示すものであって、送風機１０Ｃオン及び吸引機３０オンのときの最大風量での埃捕集中の送風方向を示す断面図である。
【００６８】
本実施の形態の機能ベッド１Ｃは、例えば、人の不在時に、送風側及び吸引側の風量を最大にすることによって音を気にせず、シーツ５ａや掛け布団５ｂ等の寝具５の埃等の堆積物を捕集することができる。また、寝具５の除菌及び乾燥を行う場合には、図４の（ａ）に示すように、送風機１０Ｃをオンし、吸引機３０をオフにする。また、仕切り板１３については、第２開口１１ｂが開口するように切り替える。このとき、ヒータ２１をオンし、かつイオン発生部１４をオンすることが好ましい。
【００６９】
これにより、ファン１２にて第２開口１１ｂを通して乾燥マット４に高熱の空気とイオンとが送風される。そして、その高熱の空気等は、乾燥マット４の多数の微細孔を通して、シーツ５ａや掛け布団５ｂ等の寝具５及びマットレス３に流入する。この結果、シーツ５ａや掛け布団５ｂ等の寝具５及びマットレス３が、乾燥及び除菌される。
【００７０】
次に、睡眠中においては、図４の（ｂ）に示すように、送風機１０Ｃ及び吸引機３０をオンにする。ただし、この場合、風量は「弱」、「中」、「強」のうちの「弱」にすることが好ましい。「強」にすると、ファン１２・３２の音が大きくなるためである。また、このとき、仕切り板１３については、第１開口１１ａが開口するように切り替える。この場合、本実施の形態では、第２開口１１ｂも開いている。この結果、ファン１２の送風は、一部が乾燥マット４に送られるようになる。さらに、イオン発生部１４は、前述したように、除菌のためオンしておくことが好ましい。また、ヒータ２１は、夏にはオフするが、冬にはオンすることによって、シーツ５ａや掛け布団５ｂに暖かい空気を送ることができるので、暖房器具としての役割を果たすことができる。
【００７１】
これにより、ファン１２にて第１開口１１ａを通して掛け布団５ｂの上方に送風される。そして、吸引機３０がオンされているので、その風は吸引機３０に達し、睡眠者の頭から足元まで清浄な空気が流れる。この結果、快適な睡眠環境を得ることができる。また、送風機１０Ｃと吸引機３０とによって、寝具５の上方に風の流れを作り、埃を捕集し、かつ埃の飛散を防止するころができる。また、イオン発生部１４をオンした場合には、弱運転時の微弱風量により、睡眠時に全身にイオンを供給すると共に、睡眠時に肌や髪の保湿を保つベッドサイド製品として使用可能である。
【００７２】
次に、室内の埃を集塵する場合には、図４の（ｃ）に示すように、送風機１０Ｃ及び吸引機３０をオンにする。この場合、風量は「弱」、「中」、「強」のうちの「強」にする。また、このとき、仕切り板１３については、第１開口１１ａと第２開口１１ｂが開口するように切り替える。さらに、イオン発生部１４はオンしておくことが好ましい。
【００７３】
この結果、ファン１２の送風は、掛け布団５ｂの上方と乾燥マット４とに送られる。これにより、その風は吸引機３０に達し、吸引機３０の集塵フィルタ３３にて捕獲されるので、埃を集塵することができる。また、イオン発生部１４をオンしたことによって、微生物等の除菌を行うことができる。さらに、ホコリセンサ３４は、埃量を検知し、図示しない制御部にて埃量を判定して送風側及び吸引側のファン１２・３２の回転数（風量）を調整することができる。
【００７４】
尚、集塵フィルタ３３に埃が貯まり過ぎた場合には、ホコリセンサ３４の検知により警告灯が点灯するので、集塵フィルタ３３の洗浄又は取り換え時期を知ることができる。また、送風機１０Ｃ及び吸引機３０を自動で停止させることも可能である。
【００７５】
したがって、送風機１０Ｃ、吸引機３０、乾燥マット４及びイオン発生部１４を機能ベッド１Ｃに組み込むことによって、それぞれの機能を２４時間作動させて、常に快適な睡眠環境を作ることが可能となる。
【００７６】
尚、この場合、掛け布団５ｂの清掃を目的とするときには、例えば、掛け布団５ｂの端部を送風機１０Ｃに被せることにより、掛け布団５ｂを集中的に乾燥及び除菌することができる。
【００７７】
このように、本実施の形態における機能ベッド１Ｃは、送風機１０Ｃが一端側に設けられたマットレス３の他端側には、吸引機３０が設けられている。
【００７８】
すなわち、実施の形態１の機能ベッド１Ａ及び実施の形態２の機能ベッド１Ｂでは、前述したように、睡眠時には、仕切り板１３にて送風機１０Ａ・１０Ｂの送風方向がマットレス３の上側に敷かれる寝具５の上方となるように切り換えることによって、睡眠時における空調の向上を図ることができる。
【００７９】
しかしながら、例えば、送風機１０Ａ・１０Ｂがマットレス３の一端側である枕近傍に設けられただけでは、足元まで風が行き渡らない場合がある。
【００８０】
そこで、本実施の形態では、マットレス３の他端側には、吸引機３０が設けられている。これにより、マットレス３の他端側である例えば足元近傍に吸引機３０を設置することにより、送風機１０Ｃからの送風を吸引機３０にて吸引することができる。したがって、就寝者に対して、保湿効果を頭から足元までの全身に付与することができる。
【００８１】
また、本実施の形態における機能ベッド１Ｃでは、送風機１０Ｃには、マットレス３の上側に敷かれる寝具５であるシーツ５ａ及び掛け布団５ｂの上方と該シーツ５ａ及び掛け布団５ｂとマットレス３との間の両方に送風されるように送風方向を切り換える送風方向切換部としての仕切り板１３が設けられている。
【００８２】
これにより、睡眠時においては、掛け布団５ｂの上方の空調を適切にすると共に、ヒータ２１を設けている場合には睡眠者の下側から該睡眠者の身体に向けて暖房装置として温風を供給することができる。この結果、多機能な機能ベッド１Ｃを提供することができる。
【００８３】
また、吸引機３０を設けている場合には、埃捕集として、室内の埃を捕集すると共に、清掃目的として、掛け布団等の埃をも同時に捕集することができる。特に、送風機１０Ｃ及び吸引機３０を最大風量で作動させた場合には、シーツ５ａや掛け布団５ｂから発生した埃又は髪の毛を吸引機３０にて捕集できるので、部屋に埃が飛散しない。また、イオン発生部１４をオンした場合には、シーツ５ａ、掛け布団５ｂ及び枕を殺菌することができる。
【００８４】
また、本実施の形態の機能ベッド１Ｃは、送風機１０Ｃには、送風される空気を清浄にする清浄部としての空気清浄フィルタ２２が設けられている。これにより、送風機１０Ｃに空気清浄フィルタ２２を設けることによって、埃を捕集することができる。また、空気清浄フィルタ２２を、室内用の独立した空気清浄機として用いることも可能である。
【００８５】
また、本実施の形態の機能ベッド１Ｃは、吸引機３０には、ホコリセンサ３４が設けられている。これにより、ホコリセンサ３４によって埃量を検知し、図示しない制御部にて埃量を判定して送風側及び吸引側のファン１２・３２の回転数（風量）を調整することができる。また、例えば、集塵後、ホコリセンサ３４にて埃が一杯になったことを検知することにより、自動的に、吸引機３０を停止させたり送風機１０Ｃを停止させたりすることができる。
【００８６】
〔実施の形態４〕
本発明のさらに他の実施の形態について図５に基づいて説明すれば、以下のとおりである。尚、本実施の形態において説明すること以外の構成は、前記実施の形態１〜実施の形態３と同じである。また、説明の便宜上、前記の実施の形態１〜実施の形態３の図面に示した部材と同一の機能を有する部材については、同一の符号を付し、その説明を省略する。
【００８７】
本実施の形態の機能ベッド１Ｄは、前記実施の形態２の機能ベッド１Ｂの構成に加えて、図５に示すように、マットレス３の枕元側に設けられた送風機１０Ｃには吸湿材２３が設けられており、ファン１２にはタイマ２４が設けられている点が異なっている。
【００８８】
本実施の形態の機能ベッド１Ｄの構成について、図５に基づいて説明する。図５は、本実施の形態の機能ベッド１Ｄの構成を示す断面図である。
【００８９】
本実施の形態の機能ベッド１Ｄは、図５に示すように、送風機１０Ｄには、送風される空気を除湿する除湿部としての吸湿材２３が設けられている。
【００９０】
これにより、梅雨時の湿度の高い状態においても吸湿材２３にて送風される空気を除湿することができるので、快適な睡眠環境を作ることができる。また、ヒータ無しでも寝具の乾燥を行うことが可能である。さらに、ヒータ２１との組み合わせにより、寝具５の乾燥を効果的に行うことができる。さらに、機能ベッド１Ｄを、単独の独立した室内用除湿機として使用することも可能となる。
【００９１】
ここで、本実施の形態では、吸湿材２３は、化学的に除湿するいわゆるデシカント式除湿として、例えばゼオライト又はシリカゲル等の吸湿性材料をハニカム状の通気性部材に塗布したものからなっている。ただし、本発明においては、除湿部はデシカント式除湿を行う吸湿材２３に限らない。例えば、除湿部としてコンプレッサー式除湿機を用いることも可能である。コンプレッサー式除湿機は、冷凍機により空気を露点温度以下に冷却することにより除湿を行う冷却方式を採用するものであり、部屋の温度上昇は小さく、かつ消費電力もやや小さい。
【００９２】
また、本実施の形態の機能ベッド１Ｄには、図５に示すように、出勤や外出時等の自宅での人の不在時に送風可能とする不在時送風制御部としてのタイマ２４が設けられている。
【００９３】
この結果、本実施の形態では、タイマ２４により、送風機１０Ｂをオンする時間を設定することができる。これにより、就寝時間外に自動的に寝具５及びマットレス３の乾燥を行うことができる。
【００９４】
尚、本発明は、上記の実施の形態に限定されるものではなく、本発明の範囲内で種々の変更が可能である。例えば、上記実施の形態では、不在時送風制御部としての例えばタイマ２４を使用していた。しかし、本発明は、特にこれに限定するものではなく、例えば、不在時送風制御部としての図示しない例えば重力センサを使用することが可能である。この重力センサは、例えば、脚付きフレーム２とマットレス３との間に設置される。そして、就寝者が寝具５に横たわったときには、重力センサが人の重さにより寝具５に横たわった旨を検知する。この結果、この検知信号の入力により、ファン１２がオンし、第１開口１１ａが開口するように設定しておくことが可能である。
【００９５】
これにより、就寝時には、自動的にマットレス３の上方に自動的に送風されるので、快適な睡眠環境を自動的に得ることが可能となる。
【００９６】
〔まとめ〕
本発明の態様１における機能ベッド１Ａ〜１Ｄは、マットレス３を備えた機能ベッドにおいて、上記マットレス３の一端側には送風機１０Ａが設けられていると共に、上記送風機１０Ａには、マットレス３の上側に敷かれる寝具５の上方、及び該寝具５とマットレス３との間の両方に送風される場合、又はマットレス３の上側に敷かれる寝具５の上方若しくは該寝具５とマットレス３との間のいずれかに送風される場合に、送風方向を切り換える送風方向切換部（仕切り板１３）が設けられていることを特徴としている。
【００９７】
上記の発明によれば、マットレスの一端側には送風機が設けられている。そして、送風機には、マットレスの上側に敷かれる寝具の上方、及び該寝具とマットレスとの間の両方に送風される場合、又はマットレスの上側に敷かれる寝具の上方若しくは該寝具とマットレスとの間のいずれかに送風される場合に、送風方向を切り換える送風方向切換部が設けられている。
【００９８】
この結果、睡眠時には、送風方向切換部にて送風機の送風方向がマットレスの上側に敷かれる寝具の上方となるように切り換えることによって、睡眠時における空調の向上を図ることができる。
【００９９】
一方、人の不在時には、送風方向切換部にて送風機の送風方向が寝具とマットレスとの間になるように切り換えることによって、マットレスの上側に敷かれる寝具の乾燥除菌を行うことができる。
【０１００】
或いは、マットレスの上側に敷かれる寝具の上方と該寝具とマットレスとの間との両方に送風されるように、送風方向切換部にて送風方向を切り換えることが可能である。これにより、睡眠時において、寝具の上方の空調を適切にすると共に、ヒータを設けている場合には睡眠者の下側から睡眠者の身体に向けて暖房装置として温風を供給することができる。この結果、多機能な機能ベッドを提供することができる。
【０１０１】
したがって、睡眠時における空調の向上を図ると共に、人の不在時における寝具の乾燥除菌をも可能にし得る機能ベッドを提供することができる。
【０１０２】
本発明の態様２における機能ベッド１Ａは、態様１における機能ベッドにおいて、前記送風機１０Ａには、送風時にイオンを発生するイオン発生部１４が設けられていることが好ましい。
【０１０３】
これにより、送風方向切換部にて送風機の送風方向がマットレスの上側に敷かれる寝具の上方となるように切り換えることによって、イオン発生部にてイオンを放出して、就寝者に対する空調としてウイルス除去や睡眠時の肌や髪の保湿を行うことができる。
【０１０４】
一方、人の不在時には、送風方向切換部にて送風機の送風方向が寝具とマットレスとの間になるように切り換えることによって、イオン発生部にてイオンを放出して、マットレスの上側に敷かれる寝具の乾燥除菌を行うことができる。
【０１０５】
本発明の態様３における機能ベッド１Ａは、態様１又は２における機能ベッドにおいて、前記マットレス３の上側に敷かれる寝具５と該マットレス３との間には通風体（乾燥マット４）が設けられていると共に、送風方向切換部（仕切り板１３）は、上記通風体（乾燥マット４）の上に敷かれている寝具５に送風すべく、該通風体（乾燥マット４）の内部に送風する場合と上記寝具５の上方に送風する場合とに送風方向を切り換え可能になっていることが好ましい。
【０１０６】
本発明では、マットレスの上側に敷かれる寝具と該マットレスとの間には通風体が常備されている。このため、人の不在時において、送風方向切換部にて送風機の送風方向が寝具とマットレスとの間になるように切り換えたときに、マットレスの上側に敷かれる寝具と該マットレスとの間に設けられた通風体の内部に送風する。
【０１０７】
これにより、シーツ、掛け布団等の寝具やマットレスに容易に送風できるので、天気を気にしたり手間をかけたりせずに、乾燥及び除菌ができる。このため、該シーツ、掛け布団等の寝具やマットレスを容易に衛生的に保つことができる。また、就寝時には、通風体をマットレスカバーとして使用することができる。
【０１０８】
さらに、例えばイオン発生部にてイオンを放出する場合には、容易に寝具及びマットレスの乾燥除菌を行うことができる。この場合、従来のベッドサイドのイオン発生器は、睡眠時の利用を想定しているので、騒音値軽減のため、風量が小さく、スポット的な除菌しかできないものであった。これに対して、本発明では、人の不在時に寝具とマットレスとの間に送風するので、騒音値軽減を考慮する必要が無く、風量を大きくすることができる。したがって、イオン発生部にてイオンを大量に放出することにより、除菌効果を高めることができる。
【０１０９】
本発明の態様４における機能ベッド１Ｂは、態様１、２又は３における機能ベッドにおいて、前記送風機１０Ｂには、送風時に温風を送るためのヒータ２１が設けられていることが好ましい。
【０１１０】
これにより、単に送風するだけの場合に比べて、ヒータにて高温の送風を行うことにより、ダニ及びカビの殺菌を容易に行うことできる。
【０１１１】
本発明の態様５における機能ベッド１Ｃは、態様１〜４のいずれか１における機能ベッドにおいて、前記送風機１０Ｃが一端側に設けられたマットレス３の他端側には、吸引機３０が設けられていることが好ましい。
【０１１２】
本発明では、上述したように、睡眠時には、送風方向切換部にて送風機の送風方向がマットレスの上側に敷かれる寝具の上方となるように切り換えることによって、睡眠時における空調の向上を図ることができる。
【０１１３】
しかしながら、例えば、送風機がマットレスの一端側である枕近傍に設けられただけでは、足元まで風が行き渡らない場合がある。
【０１１４】
これに対して、本発明では、マットレスの他端側には、吸引機が設けられているので、マットレスの他端側である例えば足元近傍に吸引機を設置することにより、送風機からの送風を吸引機にて吸引することができる。したがって、就寝者に対して、保湿効果を頭から足元までの全身に付与することができる。
【０１１５】
本発明の態様６における機能ベッド１Ｄは、態様１〜５のいずれか１における機能ベッドにおいて、前記送風機１０Ｄには、送風される空気を除湿する除湿部（吸湿材２３）が設けられていることが好ましい。
【０１１６】
これにより、梅雨時の湿度の高い状態においても除湿部にて送風される空気を除湿することができるので、快適な睡眠環境を作ることができる。また、ヒータ無しでも寝具の乾燥を行うことが可能である。
【０１１７】
本発明の態様７における機能ベッド１Ｃは、態様１〜６のいずれか１における機能ベッドにおいて、前記送風機１０Ｃには、送風される空気を清浄にする清浄部（空気清浄フィルタ２２）が設けられていることが好ましい。
【０１１８】
これにより、清浄部として送風機に例えば空気清浄フィルタを設けることによって、埃を捕集することができる。
【０１１９】
本発明の態様８における機能ベッド１Ｄは、態様１〜７のいずれか１における機能ベッドにおいて、前記送風機１０Ｄには、人の不在時に送風可能とする不在時送風制御部（タイマ２４）が設けられていることが好ましい。
【０１２０】
これにより、不在時送風制御部としての例えばタイマにより、就寝時間外に自動的に寝具及びマットレスの乾燥を行うことができる。
【０１２１】
本発明の態様９における機能ベッド１Ｃは、態様５における機能ベッドにおいて、前記吸引機３０には、ホコリセンサ３４が設けられていることが好ましい。
【０１２２】
これにより、例えば、ホコリセンサにて埃量を検知し、図示しない制御部にて埃量を判定して送風側及び吸引側のファンの回転数（風量）を調整することができる。
【０１２３】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２４】
本発明は、マットレスを備えた機能ベッドに適用可能である。
【符号の説明】
【０１２５】
１Ａ〜１Ｄ    機能ベッド
２            脚付きフレーム
３            マットレス
４            乾燥マット（通風体）
４ａ          袋開口
５            寝具
５ａ          シーツ
５ｂ          掛け布団
１０Ａ〜１０Ｄ  送風機
１１            筐体
１１ａ          第１開口
１１ｂ          第２開口
１２            ファン
１３            仕切り板（送風方向切換部）
１３ａ          回動軸
１４            イオン発生部
２１            ヒータ
２２            空気清浄フィルタ（清浄部）
２３            吸湿材（除湿部）
２４            タイマ（不在時送風制御部）
３０            吸引機
３１            筐体
３２            ファン
３３            集塵フィルタ
３４            ホコリセンサ
【図１】
2016112176.tif 000003
【図２】
2016112176.tif 000004
【図３】
2016112176.tif 000005
【図４】
2016112176.tif 000006
【図５】
2016112176.tif 000007